(57)【特許請求の範囲】
【請求項１】
側面の厚みを中央部よりも薄くした板状の電子機器の筐体の前記側面に設けられ、信号端子が設けられたオス側板状部材をメタルケース内に収容したプラグとのＵＳＢ規格の接続規格に使用されるレセプタクルであって、
少なくともその一面側に信号端子が設けられ、前記筐体の側面から出没可能に構成されると共に、前記一面側から他面側に向かう厚み方向が前記筐体の側面の厚み方向と同一方向となるように配設されたメス側板状部材を備え、該メス側板状部材は、前記筐体の側面から突出した突出位置で前記プラグのメタルケース内に挿入されることで前記オス側板状部材と重なるように配置されると共に、その信号端子が前記オス側板状部材の信号端子に接続され、これにより前記プラグと接続されることを特徴とするレセプタクル。
【請求項２】
請求項１記載のレセプタクルにおいて、
前記メス側板状部材は、前記プラグの接続状態が解除された際に前記筐体の側面から没した埋没位置へと移動することを特徴とするレセプタクル。
【請求項３】
信号端子が設けられたオス側板状部材をメタルケース内に収容したプラグとのＵＳＢ規格の接続規格に使用されるレセプタクルを側面の厚みを中央部よりも薄くした板状の筐体の前記側面に備えた電子機器であって、
前記レセプタクルは、少なくともその一面側に信号端子が設けられ、前記筐体の側面から出没可能に構成されると共に、前記一面側から他面側に向かう厚み方向が前記筐体の側面の厚み方向と同一方向となるように配設されたメス側板状部材を備え、該メス側板状部材は、前記筐体の側面から突出した突出位置で前記プラグのメタルケース内に挿入されることで前記オス側板状部材と重なるように配置されると共に、その信号端子が前記オス側板状部材の信号端子に接続され、これにより前記プラグと接続されることを特徴とする電子機器。
【請求項４】
請求項３記載の電子機器において、
前記筐体の側面に露出して設けられ、前記メス側板状部材を前記筐体の側面から没した埋没位置から前記突出位置へと向かう方向に移動させる操作部材を備えることを特徴とする電子機器。
【請求項５】
請求項４記載の電子機器において、
前記メス側板状部材を前記突出位置から前記埋没位置へと向かう方向に付勢する弾性部材と、
前記操作部材を操作して前記メス側板状部材を前記突出位置へと移動させた際に、前記弾性部材の付勢力に抗して該メス側板状部材を該突出位置にロックする一方、前記プラグが接続された際に、該プラグによって押圧されることで前記メス側板状部材の突出位置でのロックを解除するロック部材と、
を備えることを特徴とする電子機器。
【発明の詳細な説明】
【技術分野】
【０００１】
本発明は、信号端子が設けられたオス側板状部材をケース内に収容したプラグとの接続規格に使用されるレセプタクル、該レセプタクルを備える電子機器、及び該レセプタクルとプラグとの接続構造に関する。
【背景技術】
【０００２】
パーソナルコンピュータ等の多くの電子機器には、周辺機器の接続用等としてＵＳＢ（Ｕｎｉｖｅｒｓａｌ  Ｓｅｒｉａｌ  Ｂｕｓ）規格に準拠したレセプタクルが設けられている。
【０００３】
ＵＳＢコネクタには、パーソナルコンピュータ側に設けられるＡタイプと、周辺機器側に設けられるＢタイプとがある。ＵＳＢ−Ａタイプ規格のレセプタクルは、パーソナルコンピュータの筐体外面に形成された開口部内に組み込まれ、これに接続されるプラグはケーブルやフラッシュメモリ等の機器の一端に取り付けられている。レセプタクルは信号端子が設けられた板状部材（メス側板状部材）を筐体の開口部内に設けて構成され、プラグは信号端子が設けられた板状部材（オス側板状部材）をメタルケース内に収容して構成されており、プラグのメタルケースをレセプタクル内に挿入することで、互いの信号端子同士が接続される。
【０００４】
このようなＵＳＢコネクタとしては、従来より広く用いられているスタンダードタイプ（レギュラータイプ）のコネクタと、これを小型化したマイクロタイプのコネクタとが一般的である。スタンダードタイプのコネクタは、対応する機器が多く汎用性も高いという利点があるが、その外形がある程度の大きさを有し、例えばレセプタクルの高さ寸法は６．２ｍｍ程度となっている。このため、スタンダードタイプのレセプタクルを電子機器の筐体に搭載する場合、開口部の大きさを確保するために筐体デザインの制約が多くなり、例えば筐体の側面の厚みを中央部よりも薄くする断面曲面形状の筐体では、レセプタクルの開口部だけを他の部位よりも厚みを増したデザインとする必要を生じる場合がある。そして、筐体の薄型化の要望は、携帯型の電子機器であるノートブック型パーソナルコンピュータ（ノートブック型ＰＣ）やタブレット型パーソナルコンピュータ（タブレット型ＰＣ）、スマートフォン等でより顕著なものとなっている。
【０００５】
ところで、ＵＳＢコネクタの薄型化に関しては、例えば特許文献１に開示されているように、プラグの薄型化を図るために、外側のメタルケースを省略して信号端子が設けられたオス側板状部材を外部に露出させた構成がある。
【先行技術文献】
【特許文献】
【０００６】
【特許文献１】米国特許出願公開第２００５／００７０１３８号明細書
【発明の概要】
【発明が解決しようとする課題】
【０００７】
ところが、ノートブック型ＰＣやタブレット型ＰＣ等の端末側の筐体の薄型化を実現するためのレセプタクルの薄型化についての提案はなく、より多くの機器に用いられていて汎用性の高いスタンダードタイプのレセプタクルを薄型化し、筐体デザインの自由度を確保することができる構造が望まれている。また、マイクロタイプのレセプタクルをさらに薄型化すれば、筐体デザインの自由度をさらに高めることも可能となる。
【０００８】
本発明は、上記従来技術の課題を考慮してなされたものであり、構造を薄型化し、搭載される電子機器の筐体デザインの自由度を確保することができるレセプタクル及び該レセプタクルを備えた電子機器を提供することを目的とする。
【課題を解決するための手段】
【０００９】
本発明に係るレセプタクルは、側面の厚みを中央部よりも薄くした板状の電子機器の筐体の前記側面に設けられ、信号端子が設けられたオス側板状部材をメタルケース内に収容したプラグとのＵＳＢ規格の接続規格に使用されるレセプタクルであって、少なくともその一面側に信号端子が設けられ、前記筐体の側面から出没可能に構成されると共に、前記一面側から他面側に向かう厚み方向が前記筐体の側面の厚み方向と同一方向となるように配設されたメス側板状部材を備え、該メス側板状部材は、前記筐体の側面から突出した突出位置で前記プラグのメタルケース内に挿入されることで前記オス側板状部材と重なるように配置されると共に、その信号端子が前記オス側板状部材の信号端子に接続され、これにより前記プラグと接続されることを特徴とする。
【００１０】
また、本発明に係る電子機器は、信号端子が設けられたオス側板状部材をメタルケース内に収容したプラグとのＵＳＢ規格の接続規格に使用されるレセプタクルを側面の厚みを中央部よりも薄くした板状の筐体の前記側面に備えた電子機器であって、前記レセプタクルは、少なくともその一面側に信号端子が設けられ、前記筐体の側面から出没可能に構成されると共に、前記一面側から他面側に向かう厚み方向が前記筐体の側面の厚み方向と同一方向となるように配設されたメス側板状部材を備え、該メス側板状部材は、前記筐体の側面から突出した突出位置で前記プラグのメタルケース内に挿入されることで前記オス側板状部材と重なるように配置されると共に、その信号端子が前記オス側板状部材の信号端子に接続され、これにより前記プラグと接続されることを特徴とする。
【００１１】
このような構成によれば、レセプタクルを構成するメス側板状部材を電子機器の筐体の外面から出没可能とし、突出位置でプラグを接続する構成としたことにより、筐体にはメス側板状部材の板厚分の厚みのみを持った薄い開口部を設けるだけでプラグとの接続規格を得ることができる。従って、筐体側にプラグのケースを挿入可能な外形を持った開口部を設ける必要がないため、レセプタクルの構造を可及的に薄型化することができ、該レセプタクルが搭載される電子機器の筐体の薄型化が可能となり、筐体のデザインの自由度を確保することができる。
【００１２】
前記メス側板状部材は、前記プラグの接続状態が解除された際に前記筐体の外面から没した埋没位置へと移動する構成であると、レセプタクルの非使用時にはメス側板状部材を筐体内部に収容しておくことができ、メス側板状部材が外部に突出していることがないため、電子機器の搬送時等にメス側板状部材が邪魔になり、或いは破損すること等を防止することができる。
【００１４】
上記電子機器において、前記筐体の外面に露出して設けられ、前記メス側板状部材を前前記筐体の外面から没した埋没位置から前記突出位置へと向かう方向に移動させる操作部材を備えると、プラグとの接続に使用したいときに円滑にメス側板状部材を突出させることができ利便性が高い。
【００１５】
この場合、前記メス側板状部材を前記突出位置から前記埋没位置へと向かう方向に付勢する弾性部材と、前記操作部材を操作して前記メス側板状部材を前記突出位置へと移動させた際に、前記弾性部材の付勢力に抗して該メス側板状部材を該突出位置にロックする一方、前記プラグが接続された際に、該プラグによって押圧されることで前記メス側板状部材の突出位置でのロックを解除するロック部材とを備えてもよい。そうすると、メス側板状部材を突出位置で確実に保持しておくことできるためプラグの接続を円滑に行うことができ、しかもレセプタクルからプラグを取り外すと自動でメス側板状部材を筐体内に収容することが可能となり、利便性が一層高くなる。
【発明の効果】
【００１９】
本発明によれば、筐体側にプラグのケースを挿入可能な外形を持った開口部を設ける必要がないため、レセプタクルの構造を可及的に薄型化することができ、該レセプタクルが搭載される電子機器の筐体の薄型化が可能となり、筐体のデザインの自由度を確保することができる。
【図面の簡単な説明】
【００２０】
【図１】図１は、本発明の一実施形態に係る電子機器の斜視図である。
【図２】図２は、レセプタクル及びその周辺部を拡大し上方から見た斜視図である。
【図３】図３は、図２に示す状態からメス側板状部材を突出位置まで突出させた状態を示す斜視図である。
【図４】図４は、図３に示すレセプタクルにプラグを接続した状態を示す斜視図である。
【図５】図５は、図４に示すレセプタクルからプラグを取り外した状態を示す斜視図である。
【図６】図６は、レセプタクル及びその周辺部を拡大し下方から見た斜視図であり、図６（Ａ）は、メス側板状部材のロック状態を示す図であり、図６（Ｂ）は、メス側板状部材のアンロック状態を示す図である。
【図７】図７は、レセプタクルの一構成例を示す筐体１６の底面断面図であり、図７（Ａ）は、メス側板状部材が埋没位置にある状態を示す図であり、図７（Ｂ）は、メス側板状部材が突出位置にある状態を示す図である。
【図８】図８は、レセプタクルにプラグを接続する様子を示す側面断面図であり、図８（Ａ）は、接続直前の状態を示す図であり、図８（Ｂ）は、接続後の状態を示す図である。
【図９】図９は、変形例に係るスライド機構を有するレセプタクルの一構成例を示す筐体の底面断面図である。
【発明を実施するための形態】
【００２１】
以下、本発明に係るレセプタクルについて好適な実施の形態を挙げ、添付の図面を参照しながら詳細に説明する。
【００２２】
図１は、本発明の一実施形態に係る電子機器１０の斜視図である。電子機器１０は、各種周辺機器に接続されるケーブルやフラッシュメモリ等の機器の一端に取り付けられたプラグ１２との接続規格に使用されるレセプタクル１４を筐体１６の側面に有したノートブック型ＰＣである。電子機器１０としては、ノートブック型ＰＣ以外にもタブレット型ＰＣやスマートフォン等、各種電子機器を例示できる。
【００２３】
本実施形態におけるプラグ１２とレセプタクル１４との接続規格は、従来より広汎に使用されているスタンダードタイプ（レギュラータイプ）のＵＳＢ−Ａタイプ規格（Ｓｔａｎｄａｒｄ−Ａ）であり、ＵＳＢ２．０通信規格に準拠している。本発明は、スタンダードタイプのＵＳＢ−Ａタイプ規格以外、例えば、スタンダードタイプのＵＳＢ−Ｂタイプ規格（Ｓｔａｎｄａｒｄ−Ｂ）、マイクロタイプのＵＳＢ−Ａ（Ｍｉｃｒｏ−Ａ）又はＢタイプ規格（Ｍｉｃｒｏ−Ｂ）、ＵＳＢ３．０通信規格等に用いてもよい。
【００２４】
本実施形態に係るレセプタクル１４の搭載対象の一例である電子機器１０は、基体となる筐体１６に対し、ヒンジ１８を介して開閉可能に連結された蓋体２０を備えるノートブック型ＰＣである。筐体１６の上面にはキーボード２２が設けられ、蓋体２０の内面には液晶ディスプレイ等からなる表示装置２４が設けられている。
【００２５】
以下では、図１に示すように、プラグ１２をレセプタクル１４に接続する方向で先頭側を奥側（前方）、後方側を手前側（後方）と呼び、筐体１６の厚み方向を上下方向（上側、下側）と呼んで説明する。
【００２６】
図２は、レセプタクル１４及びその周辺部を拡大し上方から見た斜視図であり、レセプタクル１４を構成するメス側板状部材３６を埋没位置とした状態を示している。図３は、図２に示す状態からメス側板状部材３６を突出位置まで突出させた状態を示す斜視図であり、図４は、図３に示すレセプタクル１４にプラグ１２を接続した状態を示す斜視図であり、図５は、図４に示すレセプタクル１４からプラグ１２を取り外した状態を示す斜視図である。また、図６は、レセプタクル１４及びその周辺部を拡大し下方から見た斜視図であり、図６（Ａ）は、メス側板状部材３６のロック状態を示す図であり、図６（Ｂ）は、メス側板状部材３６のアンロック状態を示す図である。なお、図２〜図５では、筐体１６の上面に設けられているキーボード２２を省略している。
【００２７】
先ず、プラグ１２は、４枚の信号端子２６が設けられたオス側板状部材２８をメタルケース３０内に収容した構造であり（図８（Ａ）及び図８（Ｂ）参照）、一般的なＵＳＢ−Ａタイプ規格のオス側コネクタである。本実施形態では、プラグ１２を有する機器として、フラッシュメモリを内蔵した本体３２の一端に該プラグ１２を突設した構造のメモリ装置（ＵＳＢメモリ）を例示して説明する（図１及び図５参照）。
【００２８】
次に、レセプタクル１４は、図２〜図６に示すように、４枚の信号端子３４が設けられたメス側板状部材３６と、メス側板状部材３６を筐体１６の外面１６ａから出没させるスライド機構３８とを備えたＵＳＢ−Ａタイプ規格のメス側コネクタである。
【００２９】
メス側板状部材３６は、プラグ１２のメタルケース３０内が外挿されると（図８（Ｂ）参照）、その下面に設けられた信号端子３４がオス側板状部材２８の上面に設けられた信号端子２６と接触し、これによりレセプタクル１４とプラグ１２とを電気的に且つ機械的に接続する部分である。メス側板状部材３６は、スライド機構３８によって筐体１６の外面１６ａに形成された開口部３９から出没可能である。
【００３０】
図７は、レセプタクル１４の一構成例を示す筐体１６の底面断面図であり、図７（Ａ）は、メス側板状部材３６が埋没位置にある状態を示す図であり、図７（Ｂ）は、メス側板状部材３６が突出位置にある状態を示す図である。
【００３１】
図７（Ａ）及び図７（Ｂ）に示すように、スライド機構３８は、メス側板状部材３６の奥側端面に一体的に設けられ、先端に傾斜面４０ａを有する受圧部材４０と、筐体１６の外面１６ａと平行する方向に延在し、受圧部材４０の傾斜面４０ａと摺接する傾斜面４２ａを先端に有する押圧部材４２とを備える。
【００３２】
受圧部材４０は、メス側板状部材３６より多少厚みのある板状部材であり（図６（Ａ）及び図６（Ｂ）参照）、傾斜面４０ａは押圧部材４２側から押圧部材４２と離間する側に向けて漸次奥側へと傾斜している。受圧部材４０には、一端が筐体１６に固定された引張ばね（弾性部材）４４の他端が固定されている。受圧部材４０は、引張ばね４４により常時奥側に向かって付勢されつつ、図示しない案内部材による案内作用下に、外面１６ａと直交する方向に進退可能である。
【００３３】
押圧部材４２は、受圧部材４０と同等な厚みのある板状部材であり、傾斜面４２ａは受圧部材４０側に向けて漸次奥側へと傾斜している。押圧部材４２の外面１６ａ側の端面には、外面１６ａに開口した長孔４６から露出した操作部材４８が設けられている。押圧部材４２には、一端が筐体１６に固定された引張ばね（弾性部材）５０の他端が固定されている。押圧部材４２は、引張ばね５０により常時受圧部材４０から離間する方向に向かって付勢されつつ、図示しない案内部材による案内作用下に、外面１６ａと平行する方向に進退可能である。引張ばね５０は省略してもよい。
【００３４】
押圧部材４２には、さらに、手前側に突出した爪部５２ａを先端に有した板ばね状のロック部材５２が設けられている。ロック部材５２は、爪部５２ａとは反対側の基端が押圧部材４２の先端側の傾斜面４２ａ又はその近傍に固定され、押圧部材４２と共に外面１６ａと平行する方向に進退する。押圧部材４２を引張ばね５０の付勢力に抗して受圧部材４０側へと進動させると、爪部５２ａが開口部３９に入り込んでその先端が外面１６ａよりも手前側へと突出する。これにより、爪部５２ａの内面が開口部３９の縁部に引っ掛かるため（図６（Ａ）及び図７（Ｂ）参照）、引張ばね５０の付勢力に抗して押圧部材４２が図７（Ｂ）に示す進動位置でロックされる。この際、爪部５２ａを円滑に開口部３９から突出させるため、受圧部材４０の下面側部には、爪部５２ａを通過させるための凹状の逃げ部４０ｂが形成されている（図６（Ａ）及び図６（Ｂ）参照）。
【００３５】
一方、開口部３９の縁部に引っ掛かっている爪部５２ａが奥側へと押圧されると、ロック部材５２が奥側に撓んで爪部５２ａの開口部３９の縁部への引っ掛かりが抜ける（図６（Ｂ）参照）。これにより、爪部５２ａが外面１６ａの内側に収容され、押圧部材４２が引張ばね５０の付勢力によって受圧部材４０から離間する方向に退動する（図７（Ａ）参照）。この際、筐体１６において爪部５２ａが引っ掛かる開口部３９の一縁部には傾斜面３９ａが設けられている。このため、奥側へと押圧された爪部５２ａはすぐに傾斜面３９ａを滑って奥側へと退動するため、ロック部材５２の爪部５２ａによるロック状態をより円滑に解除することが可能となっている。傾斜面３９ａは省略してもよい。
【００３６】
以上のように構成されたレセプタクル１４では、図２及び図７（Ａ）に示すようにメス側板状部材３６が開口部３９の内部に収容された埋没位置にある状態から、当該レセプタクル１４にプラグ１２を接続する場合には、先ず、操作部材４８を指先でスライドさせ、押圧部材４２を引張ばね５０の付勢力に抗して進動させる。そうすると、押圧部材４２の傾斜面４２ａが受圧部材４０の傾斜面４０ａに摺接しながらこれを押圧し、図３及び図７（Ｂ）に示すように、引張ばね４４の付勢力に抗して受圧部材４０が進動し、メス側板状部材３６が開口部３９から外方に突出した突出位置となる。同時に、ロック部材５２の爪部５２ａが開口部３９の縁部に引っ掛かるため（図６（Ａ）及び図７（Ｂ）参照）、押圧部材４２及び受圧部材４０が進動位置で保持され、メス側板状部材３６が突出位置にロックされる。
【００３７】
続いて、図４及び図８（Ｂ）に示すように、プラグ１２のメタルケース３０をメス側板状部材３６に外挿し、互いの信号端子２６，３４同士を接触させることにより、プラグ１２とレセプタクル１４とを接続する。この接続動作と同時に、プラグ１２のメタルケース３０の先端面により、開口部３９から突出しているロック部材５２の爪部５２ａが奥側へと押圧される。これにより、ロック部材５２のロックが解除された押圧部材４２は引張ばね５０の付勢力によって退動し、図７（Ａ）に示す位置まで戻る（図４も参照）。この際、メス側板状部材３６はプラグ１２のメタルケース３０内に嵌挿されており、その接続によるフリクションによりメス側板状部材３６はプラグ１２によって把持されたまま突出位置で保持される。すなわち、メス側板状部材３６及び受圧部材４０は引張ばね４４の付勢力に抗して進動位置に保持され、レセプタクル１４とプラグ１２の接続状態が維持される。
【００３８】
次に、図５に示すように、プラグ１２をメス側板状部材３６から手前側へと引き抜き、プラグ１２とレセプタクル１４との接続状態を解除する。そうすると、引張ばね４４の付勢力によって受圧部材４０が退動し、メス側板状部材３６が開口部３９内に引き込まれ、図２及び図７（Ａ）に示す埋没位置へと復帰する。
【００３９】
なお、上記では、メス側板状部材３６に一体的に設けた受圧部材４０と、この受圧部材４０を押圧して進退移動させる押圧部材４２とを有するスライド機構３８によってメス側板状部材３６を筐体１６の外面から出没させる構成を説明したが、メス側板状部材３６を出没させる機構は、スライド機構３８以外の構成であっても勿論よい。
【００４０】
例えば、変形例に係るスライド機構６０を有するレセプタクル１４の一構成例を示す筐体１６の底面断面図を図９に示す。
【００４１】
図９に示すように、このスライド機構６０は、メス側板状部材３６の奥側端面に一体的に設けられた受圧部材６２と、受圧部材６２を進退移動させるためのイジェクタ６４、中間バー６６、イジェクトバー６８、及びプレート７０とを備える。
【００４２】
受圧部材６２は、上記した受圧部材４０と同等な厚みを有する矩形の板状部材であり、図示しない案内部材による案内作用下に、外面１６ａと直交する方向に進退することでメス側板状部材３６を外面１６ａの開口部３９から出没させる。
【００４３】
イジェクタ６４、中間バー６６、イジェクトバー６８、及びプレート７０は、ノートブック型ＰＣ等に広汎に搭載されているＰＣカードスロットのイジェクト機構として従来より一般的に用いられている公知の構成と同一又は同様な構成であり、例えば、特開平０８−９６８９１号公報に記載された構成を用いることができる。
【００４４】
すなわち、イジェクタ６４は、開口部３９に隣接して外面１６ａに形成された開口部７２を挿通し、図示しない案内部材による案内作用下に、外面１６ａと直交する方向に進退可能となっている。イジェクタ６４の先端には押釦部（操作部材）７４が設けられ、奥側には中間バー６６が隣接配置される狭幅部６４ａが設けられている。中間バー６６は、筐体１６の図示しない長孔に移動可能に係合した回転軸部７６を中心として回動可能に軸支されている。イジェクトバー６８は、イジェクタ６４と同一方向に進退可能である。プレート（押圧部材）７０は、筐体１６に対して支柱７８を中心として回動可能に軸支されており、一端がイジェクトバー６８に形成された孔部に係合され、他端が受圧部材６２の奥側端面を押圧する押圧部となる。
【００４５】
従って、このようなスライド機構６０を備えたレセプタクル１４では、図９（Ａ）に示すようにメス側板状部材３６が開口部３９の内部に収容された埋没位置にある状態から、当該レセプタクル１４にプラグ１２を接続する場合には、先ず、図示しない弾性部材の付勢力に抗して押釦部７４を指先で少し押し込んでから離すことにより、図９（Ｂ）に示すようにイジェクタ６４を手前側に突出させる。これにより、中間バー６６がイジェクタ６４の狭幅部６４ａから離脱し、図示しない弾性部材の付勢力によって回動軸部７６を中心として回動し、その手前側端面がイジェクタ６４の奥側端面と当接する。
【００４６】
続いて、図９（Ｃ）に示すように手前に突出している押釦部７４を奥側へと押圧し、開口部７２内へと押し込むと、イジェクタ６４と共に中間バー６６が奥側に移動し、これによりイジェクトバー６８も奥側に移動する。これにより、一端がイジェクトバー６８に係合したプレート７０が支柱７８を中心として回動し、プレート７０の他端（押圧部）に押圧されて受圧部材６２が進動し、メス側板状部材３６が開口部３９から外方に突出した突出位置となる。そこで、図９（Ｃ）に示す突出位置にあるメス側板状部材３６に対しプラグ１２を接続することにより、プラグ１２とレセプタクル１４との接続が完了する。そして、プラグ１２をメス側板状部材３６から引き抜き、プラグ１２とレセプタクル１４との接続状態を解除した後、メス側板状部材３６を押圧して退動させ、或いは図示しない弾性部材の付勢力によって受圧部材６２を遅動させると、該メス側板状部材３６が開口部３９内に引き込まれ、図９（Ａ）に示す埋没位置に復帰する。
【００４７】
このように、スライド機構６０では、メス側板状部材３６の出没方向に進退するイジェクタ６４の押釦部７４を押圧操作することでメス側板状部材３６を筐体１６の外面１６ａから出没させることができる。従って、スライド機構３８の操作部材４８のように筐体１６の外面１６ａにある程度のスライドスペースを確保する必要がなく、筐体１６に依存することなくレセプタクル１４でのメス側板状部材３６の出没動作を確保することができる。
【００４８】
以上のように、本実施形態に係るレセプタクル１４は、信号端子２６が設けられたオス側板状部材２８をメタルケース３０内に収容したプラグ１２との接続規格に使用されるものであり、信号端子３４が設けられたメス側板状部材３６を備え、該メス側板状部材３６は当該レセプタクル１４が設置された電子機器１０の筐体１６の外面１６ａから出没可能に構成され、該メス側板状部材３６を筐体１６の外面１６ａから突出させた突出位置でプラグ１２が接続される。また、本実施形態に係る電子機器１０は、信号端子２６が設けられたオス側板状部材２８をメタルケース３０内に収容したプラグ１２との接続規格に使用される前記レセプタクル１４を筐体１６の外面１６ａに備える。
【００４９】
このように、レセプタクル１４を構成するメス側板状部材３６を筐体１６の外面１６ａから出没可能とし、突出位置でプラグ１２を接続する構成としたことにより、筐体１６側にはメス側板状部材３６の板厚分の厚みのみを持った薄い開口部３９を設けるだけでプラグ１２との接続規格を得ることができる。従って、筐体１６側にプラグ１２のメタルケース３０を挿入可能な外形を持った開口部を設ける必要がないため、レセプタクル１４の構造を可及的に薄型化することができ、該レセプタクル１４が搭載される電子機器１０の筐体１６の薄型化が可能となり、筐体１６のデザインの自由度を確保することができる。開口部３９の開口寸法は、例えば、スタンダードタイプにも関わらず、マイクロタイプのＵＳＢ−タイプＢ規格の開口寸法における高さ寸法２．８ｍｍと同等な高さ寸法に抑えることができる。このため、例えば図８（Ａ）及び図８（Ｂ）に示すように、側面の厚みを中央部よりも薄くした断面曲面形状の筐体１６であっても、当該レセプタクル１４を用いることにより、開口部３９付近が他の部位よりも厚くなることを防止できる。すなわち、レセプタクル１４の構造を薄型化できることにより、該レセプタクル１４を搭載可能な機種を増やすことができ、高い汎用性が得られる。
【００５０】
当該レセプタクル１４において、メス側板状部材３６は、プラグ１２の接続状態が解除された際に筐体１６の外面１６ａから没した埋没位置へと移動する。これにより、レセプタクル１４の非使用時にはメス側板状部材３６を筐体１６内部に収容しておくことでき、メス側板状部材３６が外部に突出していることがないため、電子機器１０の搬送時等にメス側板状部材３６が邪魔になり、或いは破損すること等を防止することができる。
【００５１】
筐体１６の外面１６ａに露出して設けられ、メス側板状部材３６を埋没位置から突出位置へと向かう方向に移動させる操作部材４８（押釦部７４）を備えると、プラグ１２との接続に使用したいときに円滑にメス側板状部材３６を突出させることができ利便性が高い。
【００５２】
この場合、メス側板状部材３６を突出位置から埋没位置へと向かう方向に付勢する引張ばね４４と、操作部材４８を操作してメス側板状部材３６を突出位置へと移動させた際に、引張ばね４４の付勢力に抗して該メス側板状部材３６を該突出位置にロックする一方、プラグ１２が接続された際に、該プラグ１２によって押圧されることでメス側板状部材３６の突出位置でのロックを解除するロック部材５２とを備えるとよい。そうすると、メス側板状部材３６を突出位置で確実に保持しておくことできるためプラグ１２の接続を円滑に行うことができ、しかもレセプタクル１４からプラグ１２を取り外すと自動でメス側板状部材３６を筐体１６内に収容することが可能となり、利便性が一層高くなる。
【００５３】
本実施形態に係る接続構造は、信号端子２６が設けられたオス側板状部材２８をメタルケース３０内に収容したプラグ１２と、信号端子３４が設けられたメス側板状部材３６を備えたレセプタクル１４とのＵＳＢ規格の接続規格における接続構造であり、レセプタクル１４が設置された電子機器１０の筐体１６の外面１６ａから突出しているメス側板状部材３６に対してプラグ１２を接続する。
【００５４】
このように、筐体１６の外面１６ａから突出しているレセプタクル１４のメス側板状部材３６にプラグ１２を接続する構成としたことにより、ＵＳＢ規格の接続規格における接続構造であっても筐体１６側にプラグ１２のメタルケース３０を挿入可能な外形を持った開口部を設ける必要がないため、レセプタクル１４の構造を可及的に薄型化することができ、該レセプタクル１４が搭載される電子機器１０の筐体１６の薄型化が可能となり、筐体１６のデザインの自由度を確保することができる。
【００５５】
なお、本発明は、上記した実施形態に限定されるものではなく、本発明の主旨を逸脱しない範囲で自由に変更できることは勿論である。
【符号の説明】
【００５６】
１０  電子機器
１２  プラグ
１４  レセプタクル
１６  筐体
１６ａ  外面
２６，３４  信号端子
２８  オス側板状部材
３０  メタルケース
３２  本体
３６  メス側板状部材
３８，６０  スライド機構
３９，７２  開口部
３９ａ，４０ａ，４２ａ  傾斜面
４０，６２  受圧部材
４２  押圧部材
４４，５０  引張ばね
４８  操作部材
５２  ロック部材
５２ａ  爪部
６４  イジェクタ
６６  中間バー
６８  イジェクトバー
７０  プレート
７４  押釦部
【図１】
0006033764.tif 000002
【図２】
0006033764.tif 000003
【図３】
0006033764.tif 000004
【図４】
0006033764.tif 000005
【図５】
0006033764.tif 000006
【図６】
0006033764.tif 000007
【図７】
0006033764.tif 000008
【図８】
0006033764.tif 000009
【図９】
0006033764.tif 000010